(57)【要約】【課題】着座者が自力で容易に立ち上がることができる椅子を提供する。【解決手段】座部２と脚部３を有する椅子１であって、座部２の下に目視用部材４が設けられている。椅子１は、さらに座部２の片側または両側に設けられた肘掛け部８を有し、肘掛け部８が、所定の変位幅で上下方向に変位するものであってもよい。【選択図】図３
2012095749.tif 000002
【特許請求の範囲】
【請求項１】
座部と脚部を有する椅子であって、
前記座部の下に目視用部材が設けられていることを特徴とする椅子。
【請求項２】
前記目視用部材は、前側面が前記座部の前側縁から後方に１０ｃｍ以内の範囲に位置する請求項１に記載の椅子。
【請求項３】
前記目視用部材は、前側面が椅子の前後方向に対し略垂直に形成されている請求項１または２に記載の椅子。
【請求項４】
前記目視用部材は、前記座部と異なる色で着色されている請求項１〜３のいずれか一項に記載の椅子。
【請求項５】
前記目視用部材は、前記脚部と異なる色で着色されている請求項１〜４のいずれか一項に記載の椅子。
【請求項６】
前記椅子はさらに、前記座部の片側または両側に設けられた肘掛け部を有し
前記肘掛け部が、所定の変位幅で上下方向に変位するものである請求項１〜５のいずれか一項に記載の椅子。
【請求項７】
前記肘掛け部は、無負荷状態で前記変位幅の上限に位置し、下方向への負荷により下方に変位する請求項６に記載の椅子。
【請求項８】
前記肘掛け部の下方への変位に連動して、前記目視用部材が前記座部の下で前方に変位する請求項６または７に記載の椅子。
【請求項９】
前記肘掛け部は回転軸を有し、
前記肘掛け部の前側部分が、前記回転軸を中心に上下方向に変位するものである請求項６〜８のいずれか一項に記載の椅子。
【請求項１０】
前記椅子はさらに、前記座部の片側または両側に、前記座部の前方に設けられた起立補助台を有し、
前記起立補助台の上面が、前記座部の上面から上下１５ｃｍ以内の範囲に位置する請求項１〜５のいずれか一項に記載の椅子。
【発明の詳細な説明】
【技術分野】
【０００１】
本発明は、椅子に関するものであり、詳細には、座部の下に目視用部材を備えた椅子に関するものである。
【背景技術】
【０００２】
従来、筋力が衰えた高齢者等が着座した状態から立ち上がりやすくするための椅子が様々知られている。例えば、特許文献１〜３には、椅子の座部の後側が持ち上がることにより着座者が立ち上がりやすくなるようにした椅子が開示されている。
【先行技術文献】
【特許文献】
【０００３】
【特許文献１】特開２０００−２５４１７８号公報
【特許文献２】特開２００４−２４３０７５号公報
【特許文献３】特開２００５−１１８１２１号公報
【発明の概要】
【発明が解決しようとする課題】
【０００４】
特許文献１〜３に開示されるような椅子を用いれば、筋力が衰えた人でも椅子から立ち上がりやすくなるものの、その反面、そのような椅子を使用しなければ着座した状態から立ち上がることができなくなるおそれがあり、一般の椅子が使用できなくなるおそれがある。そのような場合は、かえって日常生活の不自由さが増してしまう。従って、筋力が衰えた人にとっては、人体の構造や動きを考慮した解剖学的観点から好ましい動作を覚えるようにすることが、長期的には好ましい対応と言える。
【０００５】
本発明は前記事情に鑑みてなされたものであり、その目的は、着座者が自力で容易に立ち上がることができる椅子を提供することにある。
【課題を解決するための手段】
【０００６】
前記課題を解決することができた本発明の椅子とは、座部と脚部を有し、座部の下に目視用部材が設けられているところに特徴を有する。本発明の椅子は目視用部材を有するため、着座者が椅子から立ち上がる際、目視用部材を目安にして上体を前傾させることで、椅子から容易に立ち上がることができるようになる。そして、このように着座状態から起立状態へスムーズに移行させる訓練を繰り返すことで、筋力が衰えた人でも自力で椅子から立ち上がることが容易にできるようになる。
【０００７】
目視用部材は、前側面が座部の前側縁から後方に１０ｃｍ以内の範囲に位置することが好ましい。このように目視用部材が設けられれば、着座者が椅子に座るのに目視用部材が邪魔になりにくくなるとともに、着座者が上体を前傾させると目視用部材を目視することが容易になる。
【０００８】
目視用部材は、前側面が椅子の前後方向に対し略垂直に形成されていることが好ましい。目視用部材の前側面が前後方向に対し略垂直に形成されていれば、着座者が上体を前傾させた際に目視用部材を目視することが容易になる。
【０００９】
目視用部材は、座部と異なる色で着色されていることが好ましい。また、目視用部材は、脚部と異なる色で着色されていることも好ましい。このように目視用部材が着色されていれば、着座者が目視用部材を座部または脚部と見分けることが容易になる。
【００１０】
椅子はさらに、座部の片側または両側に設けられた肘掛け部を有していてもよく、肘掛け部は、所定の変位幅で上下方向に変位するものであることが好ましい。このように肘掛け部が設けられていれば、着座者は、肘掛け部に手をかけて肘掛け部を下方に変位させながら目視用部材を目安にして上体を前傾させることにより、スムーズに上体の重さを膝にかけることができるようになる。従って、着座者は椅子から容易に立ち上がることができるようになる。
【００１１】
肘掛け部は、無負荷状態で前記変位幅の上限に位置し、下方向への負荷により下方に変位することが好ましい。このように肘掛け部が構成されていれば、着座者が椅子に着座する際は肘掛け部に腕や肘を載せやすくなり、着座者が椅子から立ち上がる際は肘掛け部に手を置いて踏ん張りやすくなる。
【００１２】
目視用部材は、肘掛け部の下方への変位に連動して、座部の下で前方に変位することが好ましい。椅子がこのように構成されれば、着座者が椅子に座っている状態では目視用部材に着座者の脚が当たりにくくなり、着座者は一般の椅子と同様に違和感なく椅子に着座することができる。着座者が椅子から立ち上がる際は、肘掛け部を下方に変位させると目視用部材が座部の下で前方に変位するため、肘掛け部に手をかけながら目視用部材を目安にして上体を前傾させて、椅子から立ち上がることが容易になる。
【００１３】
肘掛け部は、例えば、回転軸を有し、肘掛け部の前側部分が回転軸を中心に上下方向に変位するように構成される。このように肘掛け部が構成されれば、肘掛け部を上下方向に変位可能にすることが容易になる。
【００１４】
椅子はさらに、座部の片側または両側に、座部の前方に設けられた起立補助台を有していてもよい。このとき、起立補助台の上面は、座部の上面から上下１５ｃｍ以内の範囲に位置することが好ましい。このように起立補助台が設けられていれば、着座者は目視用部材を目安にして上体を前傾させ、その状態で起立補助台に手を着いて踏ん張ることにより、椅子から立ち上がることが容易にできるようになる。
【発明の効果】
【００１５】
本発明の椅子は目視用部材を有するため、着座者が椅子から立ち上がる際、目視用部材を目安にして上体を前傾させることで、自力で椅子から容易に立ち上がることができる。
【図面の簡単な説明】
【００１６】
【図１】本発明の椅子の第１実施態様を表す。
【図２】本発明の椅子の第２実施態様を表す。
【図３】本発明の椅子の第３実施態様を表す。
【図４】本発明の椅子の第４実施態様を表す。
【発明を実施するための形態】
【００１７】
本発明の椅子は、座部と脚部を有する。座部は、着座者が座る部分である。脚部は、座部の下に設けられ、座部を支える部分である。
【００１８】
座部は上面を有し、座部の上面に着座者が座る。座部の上面の形状は特に限定されず、例えば、円形、四角形、角の丸まった四角形等が挙げられる。
【００１９】
脚部は、座部を支えることができる限り、その形状や数は特に限定されない。脚部の形状としては、例えば、柱形状、錐形状等が挙げられる。また、脚部には台座も含まれる。つまり、脚部は細長い柱形状に限らず、例えば、１つの台座の上に座部が設けられることにより椅子が構成されていてもよい。
【００２０】
座部と脚部はそれぞれ別の部材から構成されていてもよく、座部と脚部が一体化していてもよい。例えば、椅子は直方体等の柱形状であってもよく、この場合、柱形状の上面が座部に相当し、柱形状の上面以外の部分が脚部に相当する。
【００２１】
椅子は、背もたれ部を有していてもよい。背もたれ部は椅子の後側に設けられる。背もたれ部には、着座者が背中をもたれさせることができる。背もたれ部の形状は特に限定されない。背もたれ部は、座部や脚部とは別の部材から構成されていてもよく、座部や脚部と一体化していてもよい。
【００２２】
椅子は、肘掛け部を有していてもよい。肘掛け部は、椅子の左右両側または一方側に設けられる。肘掛け部には、着座者が腕や肘を載せることができる。肘掛け部の形状は特に限定されない。肘掛け部は、座部や脚部とは別の部材から構成されていてもよく、座部や脚部と一体化していてもよい。
【００２３】
椅子の前後方向や左右方向については、次のように規定される。椅子が背もたれ部を有しない場合は、椅子の前側や後側は特に限定されず、着座者の着座方向に基づいて、椅子の前側や後側が規定される。すなわち着座者が椅子に着座した状態で、着座者の前側が椅子の前側に相当し、着座者の後側が椅子の後側に相当する。一方、椅子が背もたれ部を有する場合は、背もたれ部が設けられる側が椅子の後側に相当する。椅子の右側や左側は着座者に基づき規定され、着座者が椅子に着座した状態で、着座者の右側が椅子の右側に相当し、着座者の左側が椅子の左側に相当する。従って、椅子の前後方向は、椅子の前側から後側にかけての方向、またはその逆方向を意味し、左右方向は、椅子の右側から左側にかけての方向、またはその逆方向を意味する。また、椅子の上下方向については、椅子の一般的な使用条件、すなわち着座するのに適切な設置状態における上下方向を意味する。上下方向は、前後方向と左右方向とから形成される面に対する垂直方向に相当する。
【００２４】
本発明の椅子は、座部と脚部に加え、目視用部材を有する。目視用部材は座部の下に設けられる。目視用部材は、着座者が座部に着座して上体を前傾させた際に少なくとも目視可能な位置であれば、座部の下のいずれの部分に設けられてもよい。
【００２５】
本発明の椅子は目視用部材を有するため、着座者が椅子から立ち上がる際、目視用部材を目安にして上体を前傾させることで、椅子から容易に立ち上がることができるようになる。着座者が椅子から立ち上がりやすくするためには、着座した状態で上体を身体の後方から膝の上方に移動させることにより、臀部にかかっていた上体の重さを膝にかけるようにすることが重要である。本発明の椅子は座部の下に目視用部材が設けられているため、着座者は目視用部材が目視できるまで上体を前傾させて、それにより上体の重さを膝に自然にかけることができるようになり、着座者は椅子から立ち上がることが容易になる。そして、このように着座状態から起立状態へスムーズに移行させる訓練を繰り返すことで、筋力が衰えた人でも自力で椅子から立ち上がることが容易にできるようになる。
【００２６】
目視用部材が設けられる位置は、座部の下である限り、特に限定されない。好ましくは、目視用部材は、座部の縁（座部の上面の外縁）より内方のみに設けられる。目視用部材は、例えば、座部の下面から延出するように設けられたり、脚部から延出するように設けられたり、脚部の側面に設けられる。なお、目視用部材は、着座者が上体を前傾させた際に目視用部材の目視が容易になる点で、椅子の前側（前面側）に設けられることが好ましい。
【００２７】
目視用部材は、前側面が座部の前側縁から後方に１０ｃｍ以内の範囲（より好ましくは座部の前側縁から後方に５ｃｍ以内の範囲であり、さらに好ましくは座部の前側縁から後方に３ｃｍ以内の範囲）に位置することが好ましい。この場合、目視用部材の前側面は、目視用部材の最も前側に位置する部分が前記範囲にあればよい。このように目視用部材が設けられれば、着座者が椅子に座るのに目視用部材が邪魔になりにくくなるとともに、着座者が上体を前傾させた際に目視用部材を目視することが容易になる。なお、目視用部材の前側面は、平面で構成されても、曲面で構成されていてもよい。
【００２８】
目視用部材は、着座者が、自身の両脚の間から目視しやすくする点から、座部の幅の中央１／３の領域に設けられることが好ましい。さらに、目視用部材が着座者の脚に当たったりして、着座者が座るのに邪魔にならないようにする点から、目視用部材は、座部の幅の両端２／３の領域には設けられないことが好ましい。なお、座部の幅とは、椅子の左右方向に対する座部の長さを意味する。つまり、目視用部材は、座部を椅子の左右方向に３等分した場合に、中央の１／３の領域に設けられ、両端２／３の領域（右側端１／３の領域と左側端１／３の領域）に設けられないことが好ましい。なお、座部の幅の中央１／３の領域や座部の幅の両端２／３の領域とは、座部の下にある領域に限らず、座部の前方または後方に延在する領域も含む。
【００２９】
目視用部材は前側面が椅子の前後方向に対し略垂直に形成されていることが好ましい。目視用部材の前側面が、前後方向に対し略垂直に形成されていれば、着座者が上体を前傾させた際に目視用部材を目視することが容易になる。また、後述するように目視用部材に印を表示させる場合、目視用部材の前面側に印を表示しやすくなるとともに、着座者が上体を前傾させた際にこの印を認識しやすくなる。
【００３０】
目視用部材の形状や大きさは特に限定されないが、着座者が座るのに邪魔にならず、かつ目視可能な形状や大きさであることが好ましい。
【００３１】
目視用部材の色も特に限定されないが、着座者が目視用部材を目視しやすくする点から、座部と異なる色で着色されていることが好ましい。目視用部材が座部と異なる色で着色されていれば、着座者が目視用部材を座部と見分けることが容易になる。例えば、目視用部材は、座部とは異なる色相で着色されていることが好ましく、座部の下のような比較的暗い部分でも目視しやすくするために、色相環において黄緑から黄、赤を含み赤紫までの領域の色で着色されていることが好ましい。また、目視用部材は、座部よりも明るい明度の色で着色されていることも好ましく、座部よりも鮮やかな彩度の色で着色されていることも好ましい。
【００３２】
目視用部材は、脚部と異なる色で着色されていることも好ましい。目視用部材が脚部と異なる色で着色されていれば、着座者が目視用部材を脚部と見分けることが容易になる。例えば、目視用部材は、脚部とは異なる色相で着色されていることが好ましく、座部の下のような比較的暗い部分でも目視しやすくするために、色相環において黄緑から黄、赤を含み赤紫までの領域の色で着色されていることが好ましい。また、目視用部材は、脚部よりも明るい明度の色で着色されていることも好ましく、脚部よりも鮮やかな彩度の色で着色されていることも好ましい。
【００３３】
目視用部材は、単色で着色（彩色）されていてもよく、複数の色で着色（彩色）されていてもよい。例えば、着座者が上体を前傾させた度合に応じて、着座者が目視用部材を目視できる部分（目視可能部分）が変わるような場合は、目視用部材は、目視可能部分の変化に応じて着色（彩色）が変化するものであってもよい。すなわち、目視用部材には、着座者が上体を少しだけ前傾させたときに目視できる部分と、より上体を前傾させた場合に初めて目視できる部分とが、異なる色で着色されていてもよい。
【００３４】
また、目視用部材には、着座者の上体の前傾度合と目視可能部分との関連性を表す印が表示されていてもよい。例えば、目視用部材には、着座者が上体を少しだけ前傾させたときに目視できる部分に印Ａが表示され、より上体を前傾させたときに初めて目視できる部分に印Ｂ（印Ｂは印Ａとは異なる）が表示されていてもよい。このような印としては、文字、数字、記号、図形等が挙げられる。
【００３５】
例えば、目視用部材の前側面が椅子の前後方向に対し略垂直に形成されている場合は、目視用部材の前側面が複数の色で着色され、かつ、椅子の上下方向に対し色が変化するように着色が施されていることが好ましい。また、目視用部材の前側面が椅子の前後方向に対し略垂直に形成されている場合は、目視用部材の前側面に複数の印が椅子の上下方向に並んで表示されていることも好ましい。このように目視用部材に着色が施されたり印が表示されていれば、着座者が上体を前傾させた度合を自身で確認しやすくなる。
【００３６】
本発明の椅子について、図面を参照して説明する。なお、本発明は、図面に示された実施態様に限定されるものではない。
【００３７】
図１には、本発明の椅子の一実施態様（第１実施態様）を示す。椅子１（１Ａ）は座部２と脚部３を有し、座部２の下に目視用部材４が設けられている。椅子１Ａには、４本の柱形状の脚部３が、座部２の下面に取り付けられている。目視用部材４は座部２（座部２の下面）に直接取り付けられ、前側面が座部２の前側縁とほぼ一致している。また、目視用部材４の前側面は、椅子１Ａの前後方向に対し略垂直に形成されている。着座者は、目視用部材４が設けられた方向を前側にして座部２に着座し、椅子１Ａから立ち上がる際は、目視用部材４を目安にして上体を前傾させることで、座部２から臀部を浮かせて、椅子１Ａから容易に立ち上がることができる。
【００３８】
図１に示したように背もたれ部や肘掛け部を有しない椅子の場合は、目視用部材は複数設けられてもよい。図１に示した椅子を例にとれば、目視用部材４は、例えば、角の丸まった四角形の座部２の各辺に対応した縁の下に、それぞれ全部で４個設けられてもよい。
【００３９】
図２には、本発明の椅子の別の実施態様（第２実施態様）を示す。椅子１（１Ｂ）は座部２と脚部３を有するが、第２実施態様では、脚部３として座部２の下に台座が設けられている。目視用部材４は、脚部３の側面に設けられている。第２実施態様においても、目視用部材４は座部２の下に設けられ、目視用部材４の前側面が椅子１Ｂの前後方向に対し略垂直に形成されている。
【００４０】
目視用部材４には、下から数字の「１」，「２」，「３」が順に上下方向に並んで表示され、これらの数字の横には各々水平に延びる直線が表示されている。これらの数字や直線は、着座者が立ち上がる際、着座者が上体の前傾度合を自ら確認するための印として機能する。すなわち、着座者の上体の前傾が小さいときは数字の「１」しか目視できないが、着座者の上体の前傾度合を大きくするにつれて、数字の「２」や「３」を目視できるようになる。このように目視用部材に印が設けられていれば、着座者はこの印を目安にして、立ち上がりが容易に行える前傾姿勢を自ら把握することができ、椅子からの立ち上がりがより容易になる。
【００４１】
椅子１Ｂは、さらに、座部２の前方に設けられた起立補助台５を有している。起立補助台５は、図２では、座部２の両側に設けられているが、座部２の片側のみに設けられるものであってもよい。起立補助台５は、上面が、座部２の上面から上下１５ｃｍ以内の範囲（より好ましくは座部２の上面から上下１０ｃｍ以内の範囲であり、さらに好ましくは座部２の上面から上方に１０ｃｍ以内かつ下方に５ｃｍ以内の範囲）に位置するように設けられることが好ましい。椅子１Ｂに起立補助台５が設けられていれば、着座者は目視用部材４を目安にして上体を前傾させ、その状態で起立補助台５に手を着いて踏ん張ることにより、椅子１Ｂから立ち上がることが容易になる。
【００４２】
起立補助台５は、座部２または脚部３から延出して設けられることが好ましい。図２では、起立補助台５は座部２から延出して設けられ、起立補助台５が支持部材６により支持されている。
【００４３】
起立補助台５は、椅子１Ｂの左右方向に対し、座部２の縁より外方に位置してもよく、図２に示すように座部２の縁より内方に位置してもよい。なお、起立補助台５は、座部の幅の中央１／３の領域には設けられないことが、座部２に着座者が着座できる領域がより広く設けることができる点で、好ましい。
【００４４】
起立補助台５は、椅子１Ｂから取り外し可能であってもよく、あるいは折り畳み可能であってもよい。この場合、筋力が衰えた人が、最初は起立補助台５を用いて椅子１Ｂに着座した状態から立ち上がる訓練をして、その結果スムーズに椅子１Ｂから立ち上がることができるようになれば、起立補助台５を取り外したり折り畳んだりして、起立補助台５に頼らずに椅子１Ｂから立ち上がるようにさらに訓練することで、一般の椅子でもスムーズに立ち上がることができるようになる。
【００４５】
起立補助台が設けられる実施態様は、図２に示したような実施態様に限定されず、座部と脚部を有し、座部の下に目視用部材が設けられている椅子であれば、どのような椅子でも適用可能である。また、目視用部材に印が設けられる実施態様も、図２に示したような実施態様に限定されない。
【００４６】
図３には、本発明の椅子のさらに別の実施態様（第３実施態様）を示す。椅子１（１Ｃ）は座部２と脚部３を有し、目視用部材４は、前側面が座部２の前側縁とほぼ一致するように座部２の下に設けられている。また、目視用部材４の前側面は、椅子１Ｃの前後方向に対し略垂直に形成されている。
【００４７】
椅子１Ｃには、座部２の後側に背もたれ部７が設けられ、座部２の左右両側に肘掛け部８が設けられている。図３では、肘掛け部８が座部２の両側に設けられているが、肘掛け部８は座部２の片側のみに設けられるものであってもよい。肘掛け部８は、椅子１Ｃの前後方向に延在し、座部２の前後方向の長さの５０％以上（より好ましくは７５％以上）の長さを有することが好ましい。
【００４８】
椅子１Ｃでは、肘掛け部８が回転軸９を有し、回転軸９で肘掛け部８が背もたれ部７に取り付けられている。肘掛け部８は、前側部分が回転軸９を中心に所定の変位幅で上下方向に変位するようになっている。図３において、肘掛け部８は、実線で示された部分が上下方向の変位幅の上限を表し、一点鎖線で表された部分が上下方向の変位幅の下限を表している。椅子１Ｃに肘掛け部８が設けられ、肘掛け部８が所定の変位幅で上下方向に変位するものであれば、着座者は、肘掛け部８に手をかけて肘掛け部８を下方に変位させながら目視用部材４を目安にして上体を前傾させると、スムーズに上体の重さを膝にかけることができるようになり、椅子１Ｃから立ち上がることが容易になる。
【００４９】
肘掛け部８の上下方向の変位幅の上限や下限は次のように設定されることが好ましい。肘掛け部８の上下方向の変位幅の上限は、着座者が肘掛け部に腕や肘を載せるのに好適な位置であることが好ましい。肘掛け部８の上下方向の変位幅の上限としては、例えば、肘掛け部８の前側端の上面（上端）が、座部２の上面から上方に１０ｃｍ以上３０ｃｍ以下の範囲に位置することが好ましい。肘掛け部８の上下方向の変位幅の下限は、着座者が椅子から立ち上がる際に肘掛け部に手を置いて踏ん張るのに好適な位置であることが好ましい。従って、肘掛け部８の上下方向の変位幅の下限としては、肘掛け部８の前側端の上面（上端）が、座部２の上面から上方に１０ｃｍ未満かつ下方に１５ｃｍ以内（より好ましくは下方に１０ｃｍ以内であり、さらに好ましくは下方に５ｃｍ以内）の範囲に位置することが好ましい。
【００５０】
肘掛け部８は、無負荷状態で上下方向の変位幅の上限に位置し、下方向への負荷により下方に変位するものであることが好ましい。このように肘掛け部８が構成されていれば、着座者が椅子１Ｃに着座する際は肘掛け部８に腕や肘を載せやすくなり、着座者が椅子１Ｃから立ち上がる際は肘掛け部８に手を置いて踏ん張りやすくなる。なお、肘掛け部８に下方向への負荷をかけた際、肘掛け部８は上方への抗力が働くことが好ましい。より好ましくは、肘掛け部８が下方に変位するほど、上方への抗力が大きくなる。このように肘掛け部８を構成するには、例えば、ばね等の弾性体を肘掛け部８に設ければよい。図３に示したような椅子１Ｃの場合は、例えば、肘掛け部８の回転軸９にねじりコイルばねを設けたり、肘掛け部８と座部２との間に圧縮コイルバネを設けたりすればよい。また、肘掛け部８の上下方向への変位を、肘掛け部８にかかる負荷を検知して、電子制御してもよい。
【００５１】
肘掛け部８は、上下方向の変位幅の上限に位置するとき、肘掛け部８に下方向の負荷がかかっても下方に変位しないように、位置が固定されることが好ましい。従って、肘掛け部８は、上下方向の変位幅の上限で位置が固定されるロック機能を有していることが好ましい。肘掛け部８がこのようにロック機能を有していれば、着座者が椅子１Ｃに着座した際、肘掛け部８に腕や肘を安定して載せやすくなる。着座者が椅子１Ｃから立ち上がる際は、肘掛け部８のロックを解除して、肘掛け部８が下方に変位できるようにすることが好ましい。
【００５２】
また、肘掛け部８にロック機能が備わっていれば、筋力が衰えた人が、最初は肘掛け部８を下方に変位させながら椅子１Ｃに着座した状態から立ち上がる訓練をして、その結果スムーズに椅子１Ｃから立ち上がることができるようになれば、肘掛け部８をロックして位置を固定した状態で椅子１Ｃから立ち上がるようにさらに訓練することで、一般の肘掛け椅子でもスムーズに立ち上がることができるようになる。
【００５３】
図３では、肘掛け部８の回転軸９が背もたれ部７と連結していたが、肘掛け部８の回転軸９は座部２や脚部３と連結していてもよい。また、肘掛け部は回転軸を中心に上下方向に変位するものに限らず、上下方向に平行に変位するものであってもよい。この場合は、例えば、垂直方向に設置されたガイドレールに肘掛け部を取り付けて、肘掛け部をガイドレールに沿って上下方向に平行に変位できるようにすればよい。
【００５４】
肘掛け部が設けられる実施態様は、図３に示したような実施態様に限定されず、座部と脚部を有し、座部の下に目視用部材が設けられている椅子であれば、どのような椅子でも適用可能である。
【００５５】
図４には、本発明の椅子のさらに別の実施態様（第４実施態様）を示す。図４に示した椅子１（１Ｄ）は、目視用部材４を除いて第３実施態様と同じである。従って、下記の説明において、第３実施態様と重複する部分の説明は省略する。
【００５６】
椅子１Ｄでは、目視用部材４が棒１０を介して座部２（座部２の下面）に取り付けられている。目視用部材４は、肘掛け部８の下方への変位に連動して、座部２の下で前方に変位するようになっている。図４（ａ）は、目視用部材４が座部２の下で前方に変位する前の状態を表し、図４（ｂ）は目視用部材４が座部２の下で前方に変位した後の状態を表す。椅子１Ｄでは、目視用部材４および棒１０が、棒１０の座部２への取り付け位置を支点として、所定範囲で回転変位できるようになっている。なお、目視用部材４の前方への変位態様は、このような態様に限定されない。
【００５７】
椅子１Ｄは、例えば、肘掛け部８が上下方向の変位幅の上限に位置するときは、目視用部材４が座部２の下で着座者の邪魔にならない位置に隠れている。一方、着座者が椅子１Ｄから立ち上がる際に、肘掛け部８に手を置いて下方向へ負荷をかけて肘掛け部８を下方に変位させると、目視用部材４が座部２の下で前方に変位する。この際、目視用部材４は、最も前方に変位した状態で、前側面が座部２の前側縁から後方に１０ｃｍ以内の範囲（より好ましくは座部２の前側縁から後方に５ｃｍ以内の範囲であり、さらに好ましくは座部２の前側縁から後方に３ｃｍ以内の範囲）に位置することが好ましい。このように目視用部材４が前方に変位するものであれば、着座者が椅子１Ｄに座っている状態では目視用部材４に着座者の脚が当たりにくくなり、着座者は一般の椅子と同様に違和感なく椅子１Ｄに着座することができる。着座者が椅子１Ｄから立ち上がる際は、肘掛け部８を下方に変位させると目視用部材４が座部２の下で前方に変位するため、肘掛け部８に手をかけながら目視用部材４を目安にして上体を前傾させて、椅子１Ｄから立ち上がることが容易になる。
【００５８】
目視用部材４を、肘掛け部８の下方への変位に連動して変動させるには、公知の方法を採用すればよい。例えば、機械的に肘掛け部８と目視用部材４とを連結させて、所望の動きを実現したり、肘掛け部８の上下方向への変位をセンサーにより検知して、この検知結果に基づき目視用部材４の変動を電子制御したりすればよい。
【００５９】
肘掛け部の変位に連動して目視用部材が変位する実施態様は、図４に示したような実施態様に限定されず、座部と脚部と肘掛け部を有し、座部の下に目視用部材が設けられている椅子であれば、どのような椅子でも適用可能である。
【符号の説明】
【００６０】
１（１Ａ，１Ｂ，１Ｃ，１Ｄ）：  椅子
２：  座部
３：  脚部
４：  目視用部材
５：  起立補助台
７：  背もたれ部
８：  肘掛け部
９：  回転軸
【図１】
2012095749.tif 000003
【図２】
2012095749.tif 000004
【図３】
2012095749.tif 000005
【図４】
2012095749.tif 000006